(57)【特許請求の範囲】
【請求項１】
遊技球が入球可能な連通部を複数有する回転盤と、
該回転盤の下に設けられた前記連通部に入球した遊技球を振り分ける入球振り分け部と、
前記回転盤の周囲に設けられる環状の螺旋状バンクを形成する誘導路と、
前記誘導路に遊技球を流下するように放出する傾斜した通路が前記誘導路の周囲に設けられ、前記螺旋状バンクの下流端の内側には前記回転盤の前記連通部に接続される接続部と、
前記螺旋状バンクの外側にそれぞれ形成される前記誘導路に遊技球を導入するための、前記誘導路の上流方向に遊技球が進入する進入口と、前記誘導路の下流方向に遊技球が進入する進入口との、２つの進入口と、
前記通路に設けられ、前記２つの進入口のうちの、いずれか一方に遊技球を振り分ける誘導路振り分け手段と、
を備え、
前記誘導路の上流端と下流端とが一周して当接する部分と、前記回転盤の連通部に接続される接続部とは、前記回転盤の最下部で連通しており、
前記回転盤は、前記誘導路に対して傾斜した回転軸を有し、前記回転盤を回転させて前記入球振り分け部に遊技球を導入する入賞装置を具備することを特徴とするパチンコ機。
【発明の詳細な説明】
【０００１】
【発明の属する技術分野】
本発明は、回転盤を利用して遊技球の流下方向を変化させるようにしたパチンコ機に関するものである。
【０００２】
【従来の技術】
従来、可変表示装置を使用した役物を備えたパチンコ機に対し、回転盤を利用して遊技球の流れ方向を変化させるようにしたパチンコ機では、前者のパチンコ機では表現できない遊技球の入賞タイミングによる大当りの期待感を起こさせ、遊技者に興趣を持たせている。前記、回転盤を利用したパチンコ機の一例としては、遊技盤中央部に設けた遊技装置の内部に、入賞口を含む複数の孔を備えた回転盤をモータにより一定速度で回転させ、回転盤の外側に、遊技球の円形流路の内側が中心に向かって傾斜した環状の誘導路を配置したものがある（特開平５‐３９４８号参照）。このパチンコ機では、特別入賞装置に遊技球が入ると、誘導路上を遊技球が転がり、回転している回転盤に形成された複数の孔のうち、いずれかに入賞することになる。
【０００３】
【発明が解決しようとする課題】
しかし、この従来のパチンコ機では、遊技球が回転盤の孔に入賞するまで目視することができるので、遊技者にとって興趣のあるものであるが、回転盤が一定速度で回転しているため、ある程度早い段階で、遊技者は入賞タイミングの判別ができ、遊技者にとって止め打ち等の狙い撃ちが可能になる。また、回転盤への遊技球入賞ルートが一定なため、遊技球が誘導路上を移動しているとき、「あるタイミングでパチンコ機を叩くことにより遊技球の入賞を可能にしてしまう」という、本来の遊技から外れた行為を誘発するという問題がある。このようなことから、長期間このパチンコ機を稼動させていると、遊技者の技量によっては遊技性の興趣が薄れ、また、不正行為のおそれも生じてくる。
【０００４】
本発明は、係る問題点を解決し、回転盤を利用したパチンコ機の遊技球の動きにランダムな変化をもたらし、よって遊技性を向上させ、健全なパチンコ機を提供することを目的とする。
【０００５】
【課題を解決するための手段】
本発明は上記目的を達成するために請求項１記載のパチンコ機では、遊技球が入球可能な連通部を複数有する回転盤と、該回転盤の下に設けられた前記連通部に入球した遊技球を振り分ける入球振り分け部と、前記回転盤の周囲に設けられる環状の螺旋状バンクを形成する誘導路と、前記誘導路に遊技球を流下するように放出する傾斜した通路が前記誘導路の周囲に設けられ、前記螺旋状バンクの下流端の内側には前記回転盤の前記連通部に接続される接続部と、前記螺旋状バンクの外側にそれぞれ形成される前記誘導路に遊技球を導入するための、前記誘導路の上流方向に遊技球が進入する進入口と、前記誘導路の下流方向に遊技球が進入する進入口との、２つの進入口と、前記通路に設けられ、前記２つの進入口のうちの、いずれか一方に遊技球を振り分ける誘導路振り分け手段と、を備え、前記誘導路の上流端と下流端とが一周して当接する部分と、前記回転盤の連通部に接続される接続部とは、前記回転盤の最下部で連通しており、前記回転盤は、前記誘導路に対して傾斜した回転軸を有し、前記回転盤を回転させて前記入球振り分け部に遊技球を導入する入賞装置を具備することを特徴とする。
【０００６】
請求項２記載のパチンコ機では、前記誘導路の周囲に設けられた遊技球を放出する通路には、前記螺旋状バンクの外側に設けられた２つの進入口のうちの、いずれか一方に遊技球を振り分ける誘導路振り分け手段が設けられていることを特徴とする。
【０００８】
【発明の実施の形態】
以下、本発明の実施の形態を添付図面に基づいて説明する。図１に示すパチンコ機の遊技領域３９には、天入賞口１、左肩入賞口２、第３種始動口３、左袖入賞口４、普通電動役物作動口５、右落し入賞口６、特定入賞口７、大入賞口８、特別装置作動判定図柄作動ゲート１０、回転体１１、回転盤１２、振り分け盤１３、特別装置作動判定図柄表示装置１４、普通電動役物開放回数表示灯１５、特別装置停止条件判定図柄表示装置１６、始動入賞球数表示器１７、入賞装置４１を含む普通電動役物２０、風車３０、アウト口３６、及び図示していない遊技釘、各種の表示灯などが設けられている。又、前記、特別装置作動判定図柄作動ゲート１０の下部には、特別装置作動領域９Ａと、はずれ孔９Ｂが各々、設けられている。
【０００９】
発明の理解を容易ならしめるために、係るパチンコ機の遊技について以下に説明する。図示していない発射装置により遊技球を遊技領域３９に発射する。遊技球は入賞口または、アウト口３６に入る。前記入賞口は、普通入賞口としての天入賞口１、左肩入賞口２、左袖入賞口４及び右落し入賞口６、普通電動役物作動口５、第３種始動口３、特定入賞口７、大入賞口８の８個である。ゲートは１個設けられていて、特別装置作動判定図柄作動ゲート１０である。
【００１０】
回転体１１は、第３種始動口を有し、回転盤１２とともに電源投入時から一定速度で回転（回転体１１は約１０秒、回転盤１２は約２秒で１回転する）している。遊技球が普通電動役物作動口５に入賞すると、特定入賞口７が約０．５秒間（後述する開放時間延長機能作動中は約５．８秒間）又は、遊技球が４個入賞するまで開放される。
【００１１】
特定入賞口７に入賞した遊技球が、後述するようにして回転盤１２の所定の位置に入球すると、当該遊技球は、特別装置作動判定図柄作動ゲート１０に誘導される。特定入賞口７に入賞した遊技球が、特別装置作動判定図柄作動ゲート１０を通過すると、特別装置作動判定図柄表示装置１４の図柄の変動が開始される。図柄の変動開始後、所定の時間（約２．２秒）以上経過すると前記図柄の変動が停止される。前記特別装置作動判定図柄表示装置１４の図柄が特定の図柄で停止すると、特別装置作動判定図柄作動ゲート１０を通過した遊技球は振り分け盤１３により前記特別装置作動領域９Ａに誘導される。前記特別装置作動判定図柄表示装置１４の図柄が前記特定の図柄以外で停止すると、特別装置作動判定図柄作動ゲート１０を通過した遊技球は振り分け盤１３により前記特別装置作動領域９Ｂに誘導される。
【００１２】
遊技球が、前記特別装置作動領域９Ａを通過すると、図示していない特別装置が作動し、特別装置停止条件判定図柄表示装置１６の図柄の変動表示が開始され約４秒以上経過後に停止する。特別装置停止条件判定図柄表示装置１６は、例えば５個の発光ダイオードのような表示装置である。係る特別装置停止条件判定図柄表示装置１６の５個の発光ダイオードのうち、いずれかひとつが点灯して停止する。例えば、５個の発光ダイオードのうち、一番左の位置で停止した場合、前記特別装置の作動中において第３種始動口３に１個の遊技球が入賞するか、又は、前記特別装置の作動中において遊技球が前記特別装置作動領域９Ａを通過した場合、前記特別装置は作動を停止する。
【００１３】
特別装置停止条件判定図柄表示装置１６の図柄が前記以外の場所で停止した場合は、前記特別装置の作動中において第３種始動口３に１６個の遊技球が入賞するか、又は、前記特別装置の作動中において遊技球が前記特別装置作動領域９Ａを通過した場合、前記特別装置は作動を停止する。
【００１４】
前記特別装置の作動中において第３種始動口３に入賞すると、図示していない第３種電動役物の作動により、大入賞口８が、所定の時間（約９．５秒）又は、大入賞口８に１０個の遊技球が入賞するまで開放される。
【００１５】
前記特別装置が作動を停止した時（但し第３種電動役物が作動であれば、当該第３種電動役物の作動作動終了時）から開放時間延長機能が作動する。開放時間延長機能が作動中の場合には、前記したように特定入賞口７の開放時間が延長される。当該開放時間延長機能は、その作動中において特定入賞口７が特定回数（例えば１０回）開放するか、又は、前記特別装置が作動を開始すると開放時間延長の動作を終了する。
【００１６】
図２は、前記普通電動役物２０の正面概観図である。図３は、図２における普通電動役物２０のＡＡ断面図である。以下図３について本発明の主要部について説明する。普通電動役物２０は、図示していないネジなどにより、図示していない遊技盤の所定の位置に設置されていて、Ｈ方向から遊技者が回転盤１２の回転状況を窓３１から視認できるようになっている。普通電動役物２０には、特定入賞口７に入賞した遊技球４０を入賞装置４１に誘導する役物通路３２が設けられている。
【００１７】
入賞装置４１は、回転盤１２とその周囲に設けられた誘導路４３を有し、前記回転盤１２は、前記誘導路４３に対して窓３１から視認できる方向に傾斜している。前記誘導路には、後述するような通路４４が設けられている。該通路４４には、例えば円形の突起で形成される誘導路振り分け手段４２が設けられている。又、前記回転盤１２は、モータ６１の軸４６（誘導路４３に対して傾斜している）に連結されていて、電源投入時からモータ６１により一定速度で回転（約２秒で１回転する）している。
【００１８】
特定入賞口７に入賞した遊技球４０は、役物通路３２を通り本発明の入賞装置４１に落下する。該落下した遊技球４０は、前記入賞装置４１に設けられた、前記誘導路振り分け手段４２によって、後述するようにして通路４４の左右いずれかの方向に振り分けられる。前記通路４４の左右いずれかの方向に振り分けられた遊技球４０は、誘導路４３を介して回転盤１２に設けられた後述する連通部に入球する。当該遊技球４０は、前記回転盤１２に設けられた前記連通部の図示していない入賞孔に入球した場合には経路Ｆを介して特別装置作動判定図柄作動ゲート１０に誘導される。又、前記入賞孔以外の、はずれ孔に入球した場合には、図示していない所定の経路から遊技盤の裏面側に放出される。前記回転盤１２は、遊技者によって前記回転盤１２の回転を視認できる方向に傾斜して配置されていて、モータ６１の軸４６に連結されて一定速度で回転され、誘導路４３は固定されている。
【００１９】
図４は入賞装置の上面図である。以下、入賞装置４１について図３、図４を用いて説明する。図４に示すように、入賞装置４１には、前記特定入賞口７に入賞した遊技球４０が役物通路３２を介して入球する通路４４、該通路４４を介して回転盤１２に遊技球４０を誘導する誘導路４３が設けられている。前記回転盤１２は、遊技球が入球可能な連通部４９、５０、５１を有し、前記回転盤１２の下には前記連通部４９、５０、５１に入球した遊技球を振り分ける、入球振り分け部４７、４８が設けられている。
【００２０】
又、前記回転盤１２の周囲には内壁５７が螺旋状の誘導路４３と一体に形成されていて、該誘導路４３は、前記内壁５７の外側に形成されている。前記螺旋状誘導路４３の上流端と下流端とが一周して当接する部分５５と前記回転盤１２の連通部４９、５０、５１に接続される接続部５２とは、前記回転盤１２の最下部で連通している。前記内壁５７の下流端には前記回転盤１２の連通部４９、５０、５１に接続される接続部５２が形成されている。前記誘導路４３の外側には壁面５９が前記誘導路４３と一体に形成されている。前記通路４４と前記誘導路４３との間であって、前記内壁５７の上流端に相当する部分には、壁面５８が形成されている。該壁面５８の両端は前記通路４４から誘導路４３に遊技球を導入する２つの進入口５３、５４がそれぞれ形成されている。
【００２１】
前記通路４４には、特定入賞口７に入賞した遊技球４０が役物通路３２を介して落下する位置に、例えば円形の突起物からなる誘導路振り分け手段４２が設けられている。前記円形の突起で形成される誘導路振り分け手段４２は、これ以外の形状でもよく、頂部に落下した遊技球４０をＡ又はＢ方向に流下させるようになっていて、遊技球４０を進入口５３、５４より勢い良く前記誘導路４３に投下する構造になっていればよい。
【００２２】
前記通路４４は、遊技球４０が誘導路４３に流下するように傾斜していて遊技球４０の進入口５３、５４と連絡されている。前記回転盤１２は、図示していないモータの軸に連結されていて、モータを制御して一方向に回転駆動される。係る回転は、ある条件において回転速度を変更することも可能である。この実施の形態では、回転盤１２は一方向に一定の回転速度で回転されている。
【００２３】
前記誘導路４３は、螺旋状バンクとして形成されていて、その内側に環状の内壁５７を一体に形成している。前記螺旋状の誘導路４３の上流端と下流端とは一周して当接し、この個所は段部５６が形成され、螺旋状の誘導路４３の下流端に位置する内壁５７には接続部５２が形成されている。前記誘導路４３の内壁５７の内側であって、前記回転盤１２の下部は、モータの軸４６に向かう方向に傾斜したすり鉢状に底部が形成されている。該底部は図３に示すように底部４５の中心には孔６０が設けられていて、孔６０にはモータ６１の軸４６が通されている。そして前記底部４５には前記連通部４９、５０、５１に入球した遊技球を振り分ける、入球振り分け部４７、４８が後述するように設けられている。
【００２４】
図４に戻り、前記回転盤１２の連通部４９と連通部５０、５１とは、孔６０から前記した各連通部の底部Ｇまでの距離が、連通部４９より連通部５０、５１のほうが短くなるように形成されている。
【００２５】
そして、入球振り分け部４７、４８は、一方が入賞孔４７、他方がはずれ孔４８として用いられ、前記いずれかの連通部に入球した遊技球が落下して、所定の経路に誘導される位置に設けられている。即ち、入球振り分け部４７は、前記連通部４９に入球した遊技球が落下する位置にある。即ち、回転盤１２が回転して連通部４９と入球振り分け部４７とが重なったときに遊技球４０が投下されるようになっている。又、入球振り分け部４８は、前記連通部５０、５１に入球した遊技球が落下する位置にある。即ち、回転盤１２が回転して連通部５０又は５１と入球振り分け部４８とが重なったときに遊技球４０が投下されるようになっている。遊技球が前記入球振り分け部４７（入賞孔４７）に入球した場合には図３に示した経路Ｆを介して特別装置作動判定図柄作動ゲート１０に誘導される。又、遊技球が前記入賞孔４７以外の、入球振り分け部４８（はずれ孔４８）に入球した場合には、図示していない所定の経路から遊技領域３９外に放出される。
【００２６】
前記回転盤１２の下部に形成された底部４５は、モータの軸４６に向かう方向にすり鉢状に傾斜して形成されているので、前記連通部４９、５０、５１に入球した遊技球は、必ず前記各連通部の底部Ｇまで到達する。前記連通部４９、５０、５１のいずれかに入球した遊技球は、回転盤１２の回転につれて移動し、前記連通部４９、５０、５１と一致する位置にある入賞孔４７又は、はずれ孔４８のいずれかに落下する。
【００２７】
前記連通部４９、５０、５１と入球振り分け部４７、４８との関係は、前記したように、孔６０から前記した各連通部の底部Ｇまでの距離を変えるようにする以外であってもよい。例えば、前記連通部４９、５０、５１及び入球振り分け部４７、４８の形状を楕円、多角形などとする。そして、前記したように回転盤１２が回転したときに、前記連通部４９と入球振り分け部４７とが、又、前記連通部５０、５１と入球振り分け部４８とが各々、一致するようにしておいてもよい。
【００２８】
図５は、このように構成した入賞装置４１における遊技球の動きを説明するための図である。すなわち、遊技装置４１の誘導路振り分け手段４２に落下した遊技球４０は、通路４４のＡ又はＢいずれかの方向に振り分けられる。図５（ａ）は、遊技球が通路４４のＡ方向に落下した場合、図５（ｂ）及び図５（ｃ）は、遊技球が通路４４のＢ方向に落下した場合を説明する図である。
【００２９】
図５（ａ）において、通路４４のＡ方向に落下した遊技球４０は、進入口５３を通り、螺旋状の誘導路４３をその傾斜に従って前記螺旋状誘導路４３の上流端と下流端とが一周して当接する部分５５に向かって反時計回りに螺旋状誘導路４３を周回して停止する。そして回転盤１２が所定の速度で回転し、連通部４９、５０、５１のいずれかが前記当接する部分５５に来ると、遊技球が前記回転盤１２の前記連通部に入球される。
【００３０】
図５（ｂ）において、通路４４のＢ方向に落下した遊技球４０は、進入口５４を通り、螺旋状の誘導路４３をその傾斜に逆らって前記螺旋状誘導路４３の上流端と下流端とが一周して当接する部分５５に向かって時計回りに螺旋状の斜面を上って進行する。そして、遊技球４０に勢いがある場合、遊技球４０は前記螺旋状誘導路４３を上りきり、上流端と下流端とが一周して当接する部分５５で停止する。そして回転盤１２が所定の速度で回転し、連通部４９、５０、５１のいずれかが前記当接する部分５５に来ると、遊技球が前記回転盤１２の前記連通部に入球される。
【００３１】
図５（ｃ）において、通路４４のＢ方向に落下した遊技球４０は、進入口５４を通り、螺旋状の誘導路４３をその傾斜に逆らって前記螺旋状誘導路４３の上流端と下流端とが一周して当接する部分５５に向かって時計回りに進行する。しかし、遊技球４０の勢いがない場合、螺旋状の斜面の抵抗により遊技球４０の速度がなくなると、図５（ｃ）に示すように、遊技球４０は螺旋状誘導路４３の斜面に沿い、螺旋状誘導路４３の下流端に向かって進行し（いままでと逆方向の反時計回りの進行）、遊技球は、最終的に前記螺旋状誘導路４３の上流端と下流端とが一周して当接する部分５５に到達して停止する。そして回転盤１２が所定の速度で回転し、連通部４９、５０、５１のいずれかが前記当接する部分５５に来ると、遊技球が前記回転盤１２の前記連通部に入球される。
【００３２】
なお、接続部５２の位置では誘導路４３の面が内側に傾斜され、遊技球４０が円盤１２に向かうように形成されている。また、特定の条件において、回転盤１２の連通部４９、５０、５１が入賞孔４７に一致した状態で回転盤１２を停止させてもよい。
【００３３】
【発明の効果】
請求項１記載のパチンコ機によれば、入賞装置は、遊技球が進入口から回転盤へ向かう時の遊技球の経路及び所要時間をランダムに変化させる。又、誘導路を決める遊技球の流入口が変わることにより、球自体の進行方向に変化を与える。よって、遊技者は入賞タイミングの判別ができない。このために、遊技者にとって止め打ち等の狙い撃ちができず、又、遊技性が向上し、遊技者にとって遊技の変化を楽しむことができるパチンコ機を提供できた。
また、前記回転盤は、前記誘導路に対して傾斜した軸で回転されていて、前記螺旋状バンクの下流端の内側と前記回転盤の連通部とが、前記回転盤の最下部で連通することにより、重力を利用して遊技球を誘導するので、簡単な構造で入賞装置を実現できる。又、遊技者は、入賞装置の窓越しに遊技球の行方を視認容易となるので遊技の変化を楽しむことができるパチンコ機を提供できた。
【００３４】
請求項２記載のパチンコ機によれば、いずれか一方に遊技球を振り分ける誘導路振り分け手段により、回転盤に向かう流路を偶発的に選択する。このために、前記誘導路に遊技球を放出する通路から誘導路へ流入した遊技球は、それぞれ異なる変化をし、遊技者にとって遊技の変化を楽しむことができパチンコ機を提供できた。
【図面の簡単な説明】
【図１】本発明におけるパチンコ機の遊技盤の正面概観図である。
【図２】普通電動役物の正面概観図である。
【図３】図２における普通電動役物のＡＡ断面図である。
【図４】本発明における入賞装置の上面図である。
【図５】本発明の入賞装置における遊技球の動きを説明するための図であって、図５（ａ）は、遊技球が通路のＡ方向に落下した場合、図５（ｂ）及び図５（ｃ）は、遊技球が通路のＢ方向に落下した場合を説明する図である。
【符号の説明】
１  天入賞口
２  左肩入賞口
３  第３種始動口
５  普通電動役物作動口
７  特定入賞口
８  大入賞口
１０  特別装置作動判定図柄作動ゲート
１１  回転体
１２  回転盤
１３  振り分け盤
１４  特別装置作動判定図柄表示装置
１６  特別装置停止条件判定図柄表示装置
３２  役物通路
４１  入賞装置
４２  誘導路振り分け手段
４３  誘導路
４４  通路
４９、５０、５１  連通部
５２  接続部
５３、５４  進入口
【図１】
0004859286.tif 000002
【図２】
0004859286.tif 000003
【図３】
0004859286.tif 000004
【図４】
0004859286.tif 000005
【図５】
0004859286.tif 000006